(57)【要約】位相調整回路（１２８）は、波形等化回路（１０８）からクロックＣＬＫｎ−１に同期してサンプリングされた再生信号ＲＦｎの位相ずれ量を検出し、その位相ずれ量に応じてクロックＣＬＫｎ−１を補正して補正クロックＲＣＬＫｎを生成する。クロック設定回路（１２７）は、クロックＣＬＫｎ−１と補正クロックＲＣＬＫｎとの移動平均を演算して再生信号ＲＦｎをサンプリングすべきクロックＣＬＫｎを生成する。そして、クロック設定回路（１２７）は、ｎ個のクロックＣＬＫｎのｎ個の位相の平均を演算し、その平均位相を有するクロックを再生クロックとして設定する。その結果、光ディスクから再生された再生信号を正確にサンプリング可能なクロックを生成できる。
2002035528.tif 000002
【特許請求の範囲】
【請求項１】
基準クロックを生成する基準となるファインクロックマーク（３）を含む光ディスク（１００）から信号を再生する光ディスク装置（２００）であって、
前記光ディスク（１００）にレーザ光を照射し、その反射光を検出する光ピックアップ（１０２）と、
前記光ピックアップ（１０２）が前記ファインクロックマーク（３）に起因して検出したファインクロックマーク信号に基づいて前記基準クロックを生成するクロック生成回路（１０４）と、
前記光ピックアップ（１０２）が前記光ディスク（１００）から再生した再生信号ＲＦｎ（ｎは自然数）を、ｎ＝１のとき前記基準クロックに同期してサンプリングし、ｎ≧２のとき前記再生信号ＲＦｎの直前の再生信号ＲＦｎ−１のサンプリングに適したクロックＣＬＫｎ−１に同期してサンプリングするサンプリング回路（１０７）と、
前記再生信号ＲＦｎのサンプル値を基準値と比較することによって前記クロックＣＬＫｎ−１の位相を補正すべき補正量を求め、前記補正量に基づいて前記再生信号ＲＦｎのサンプリングに適した位相を有する補正クロックＲＣＬＫｎを生成する位相調整回路（１２８）と、
前記クロックＣＬＫｎ−１と前記補正クロックＲＣＬＫｎとの移動平均を演算してクロックＣＬＫｎを生成し、ｎ個のクロックＣＬＫｎの各々に対応するｎ個の位相の平均値を演算し、その演算した平均位相を有するクロックを再生クロックとして設定するクロック設定回路（１２７）と、
前記再生クロックに同期して、前記光ピックアップ（１０２）が再生した再生信号の再生処理を行なう再生処理回路（１０６〜１１２）とを備える光ディスク装置。
【請求項２】
前記再生信号ＲＦｎは、前記光ディスク（１００）に記録された一定の信号長を有する記録信号に起因して前記光ピックアップ（１０２）が再生した再生信号である、請求項１に記載の光ディスク装置。
【請求項３】
前記再生信号ＲＦｎは、前記光ディスク（１００）のユーザデータ領域の先頭に記録された記録信号に起因して前記光ピックアップ（１０２）が再生した再生信号である、請求項２に記載の光ディスク装置。
【請求項４】
前記光ディスク（１００）は、
ランド（２）と、
前記ランド（２）に隣接するグルーブ（１）と、
前記ランド（２）およびグルーブ（１）の表面を覆うように形成された磁性層とを備え、
前記グルーブ（１）およびランド（２）は、タンジェンシャル方向に所定周期ごとに前記ファインクロックマーク（３）を含み、
前記光ディスク（１００）のデータフォーマットは、
複数のフレームと、
前記複数のフレームの各々を構成する複数のセグメント（Ｓ０〜Ｓ３８）とから成り、
前記複数のセグメント（Ｓ０〜Ｓ３８）の各々は、隣接する２つのファインクロックマーク（３，３）間の領域が割り当てられ、
前記光ピックアップ（１０２）は、前記複数のセグメント（Ｓ０〜Ｓ３８）のうち、１つのセグメントに記録された記録信号を検出して前記再生信号ＲＦｎを出力する、請求項１に記載の光ディスク装置。
【請求項５】
前記光ピックアップ（１０２）は、前記複数のフレームの各々を構成する複数のセグメント（Ｓ０〜Ｓ３８）のうち、１つのセグメントに記録された記録信号を検出して前記再生信号ＲＦｎを出力する、請求項１に記載の光ディスク装置。
【請求項６】
前記１つのセグメントは、第１の信号長を有する第１の記録信号と前記第１の信号長よりも長い第２の信号長を有する第２の記録信号とが記録されており、
前記光ピックアップ（１０２）は、前記第１の記録信号を再生して前記再生信号ＲＦｎを出力する、請求項４に記載の光ディスク装置。
【請求項７】
前記１つのセグメントは、第１の信号長を有する第１の記録信号と前記第１の信号長よりも長い第２の信号長を有する第２の記録信号とが記録されており、
前記光ピックアップ（１０２）は、前記第１の記録信号を再生して前記再生信号ＲＦｎを出力する、請求項５に記載の光ディスク装置。
【請求項８】
基準クロックを生成する基準となるファインクロックマーク（３）を含む光ディスク（１００）から信号を再生するときの再生クロックの位相を調整する位相調整方法であって、
レーザ光を照射して前記光ディスク（１００）から信号を再生する第１のステップと、
前記第１のステップにおいて再生された再生信号ＲＦｎ（ｎは自然数）を、ｎ＝１のとき前記基準クロックに同期してサンプリングし、ｎ≧２のとき前記再生信号ＲＦｎの直前の再生信号ＲＦｎ−１のサンプリングに適したクロックＣＬＫｎ−１に同期してサンプリングする第２のステップと、
前記第２のステップにおいてサンプリングされた再生信号ＲＦｎのサンプル値を基準値と比較することによって前記クロックＣＬＫｎ−１の位相を補正すべき補正量を求め、前記補正量に基づいて前記再生信号ＲＦｎのサンプリングに適した位相を有する補正クロックＲＣＬＫｎを生成する第３のステップと、
前記クロックＣＬＫｎ−１と前記補正クロックＲＣＬＫｎとの移動平均を演算してクロックＣＬＫｎを生成し、ｎ個のクロックＣＬＫｎの各々に対応するｎ個の位相の平均値を演算し、その演算した平均位相を有するクロックを再生クロックとして設定する第４のステップとを含む位相調整方法。
【請求項９】
前記再生信号ＲＦｎは、光ディスク（１００）に記録された一定の信号長を有する記録信号に基づく再生信号である、請求項８に記載の位相調整方法。
【発明の詳細な説明】
技術分野
この発明は、光ディスクから信号を再生するときの再生クロックの位相を調整する光ディスク装置および位相調整方法に関する。
背景技術
光磁気ディスク、相変化ディスク等の光ディスクは、ランドとグルーブとをラジアル方向に交互に形成し、ランドとグルーブとの両方に信号を記録することによって高密度化を図っている。
最近、規格化されたＡＳ−ＭＯ（Ａｄｖａｎｃｅｄ　Ｓｔｏｒａｇｅｄ　Ｍａｇｎｅｔｏ　Ｏｐｔｉｃａｌ　ｄｉｓｋ）規格においては、データの記録または再生に用いるクロックを生成する基準となるファインクロックマークが所定の周期で形成されている。このファインロックマークは、具体的には、ランドに所定周期で３〜４データチャネルビット程度の長さを有するグルーブを設け、グルーブに所定周期で３〜４データチャネルビット程度の長さを有するランドを設けることにより形成される。この場合、ファインクロックマークによる再生データへの影響を避けるために、ファインクロックマークを中心として、前後、６データチャネルビット、すなわち、１２データチャネルビットの領域にはデータが記録されない。
ＡＳ−ＭＯ規格による光磁気ディスクにおいては、ファインクロックマークを検出して生成したクロックに同期して信号の記録および再生が行なわれる。そして、信号を再生するとき、光磁気ディスクからレーザ光によって検出された光磁気信号の振幅が最大になるタイミングでサンプリングするのが好ましいため、クロックの位相は検出した光磁気信号の振幅が最大になるタイミングに一致するように調整される。
具体的には、２Ｔの信号を２Ｔの間隔で配列された記録信号「１１００１１００１１００・・・」を光磁気ディスクに記録し、この記録信号を再生する。そうすると、光磁気信号の振幅は正弦波状に変化する。したがって、クロックの位相は、正弦波状のピークに一致するように調整される。
しかし、光磁気ディスクの周囲の温度、レーザ光の強度等が変化すると、光磁気ディスクに形成される磁区の中心がずれ、レーザ光により検出された光磁気信号をサンプリングするタイミングがずれる。すなわち、図２３Ａおよび２３Ｂを参照して、レーザ光のパワーが強いとき、光磁気ディスクの磁性層を所定温度以上に昇温させるビーム径が大きいレーザ光ＬＢ１，ＬＢ２が光磁気ディスクに照射される。そして、光磁気ディスクの磁性層のうち、レーザ光ＬＢ１が照射された領域は、キュリー温度以上に昇温され、その後キュリー温度から降下すると、記録信号によって変調された外部磁界により、外部磁界の方向と同じ磁化を有する。そして、次のタイミングにおいてレーザ光ＬＢ２が照射され、磁性層がキュリー温度以上に昇温されると、磁区Ｄ１が形成される（図２３Ａ参照）。
一方、照射のタイミングが同じであってもレーザ光のパワーが弱いとき、光磁気ディスクの磁性層を所定温度以上に昇温させるビーム径が小さいレーザ光ＬＢ３，ＬＢ４が光磁気ディスクに照射される。そして、上述したのと同じ方法によって磁区Ｄ２が形成される（図２３Ｂ参照）。
この場合、磁区Ｄ１の中心ＣＡと磁区Ｄ２の中心ＣＢとが距離Ｌだけ光磁気ディスクのタンジェンシャル方向にずれる。そうすると、ファインクロックマークに基づいて生成されたクロックの位相が一定である場合、磁区Ｄ１を再生した光磁気信号のサンプリングのタイミングはクロックの位相に一致するが、磁区Ｄ２を再生した光磁気信号のサンプリングのタイミングはクロックの位相に一致しないという問題が生じる。その結果、信号を正確に再生できない。
また、光磁気ディスクに記録される記録信号の密度が高密化された場合、ランドまたはグルーブに形成される磁区は、ますます小さくなり、小さい磁区を再生した光磁気信号は、図２４に示すように振幅が小さく、ゆらぎの大きい信号となる。このような光磁気信号においては、サンプリングするタイミングは振幅が大きくなるタイミングからずれ易くなるという問題がある。
そして、これらの問題は、光磁気ディスクに限らず、レーザ光のパワーによって記録信号の記録位置が変化する光ディスクにおいても生じる問題である。
発明の開示
それゆえに、この発明の目的は、光ディスクから再生された再生信号を正確にサンプリング可能なクロックを生成できる光ディスク装置および位相調整方法を提供することである。
この発明による光ディスク装置は、基準クロックを生成する基準となるファインクロックマークを含む光ディスクから信号を再生する光ディスク装置であって、光ディスクにレーザ光を照射し、その反射光を検出する光ピックアップと、光ピックアップがファインクロックマークに起因して検出したファインクロックマーク信号に基づいて基準クロックを生成するクロック生成回路と、光ピックアップが光ディスクから再生した再生信号ＲＦｎ（ｎは自然数）を、ｎ＝１のとき基準クロックに同期してサンプリングし、ｎ≧２のとき再生信号ＲＦｎの直前の再生信号ＲＦｎ−１のサンプリングに適したクロックＣＬＫｎ−１に同期してサンプリングするサンプリング回路と、再生信号ＲＦｎのサンプル値を基準値と比較することによってクロックＣＬＫｎ−１の位相を補正すべき補正量を求め、補正量に基づいて再生信号ＲＦｎのサンプリングに適した位相を有する補正クロックＲＣＬＫｎを生成する位相調整回路と、クロックＣＬＫｎ−１と補正クロックＲＣＬＫｎとの移動平均を演算してクロックＣＬＫｎを生成し、ｎ個のクロックＣＬＫｎの各々に対応するｎ個の位相の平均値を演算し、その演算した平均位相を有するクロックを再生クロックとして設定するクロック設定回路と、再生クロックに同期して、光ピックアップが再生した再生信号の再生処理を行なう再生処理回路とを備える。
この発明による光ディスク装置においては、光ピックアップが光ディスクから再生した再生信号を、直前の再生信号をサンプリングするのに適したクロックに同期してサンプリングし、そのサンプリングしたサンプル値を基準値と比較することによってサンプリングに用いたクロックの位相を補正すべき補正量を求める。そして、その求めた補正量に基づいて再生した再生信号をサンプリングするのに適した補正クロックを生成する。生成された補正クロックと、再生信号をサンプリングしたクロックとの移動平均を演算して、再生しようとする信号の再生信号のサンプリングに適したクロックとする。このような補正をｎ個のクロックについて行ない、補正された各位相の平均値を求め、その平均位相を有するクロックを再生クロックとして設定し、再生クロックに同期して再生信号の処理を行なう。
したがって、この発明によれば、光ディスクに記録される信号の位置がずれた場合でも、再生信号の振幅が大きくなるタイミングで再生信号をサンプリングできる。
好ましくは、クロックの位相調整に用いられる再生信号ＲＦｎは、光ディスクに記録された一定の信号長を有する記録信号に起因して光ピックアップが再生した再生信号である。
光ディスク装置においては、一定の信号長を有する信号が光ピックアップによって再生され、その再生された再生信号をサンプリングするのに適したクロックの位相が調整される。つまり、光ディスクに記録された信号の位置ずれが再生信号のサンプリングのタイミングをずらせる要因になり、記録信号の位置ずれによる影響を除去して再生信号の振幅が大きくなるタイミングでサンプリングできるようにクロックの位相が調整される。
したがって、この発明によれば、光ディスクに記録される信号の位置ずれによる再生信号の特性低下を容易に除去できる。
好ましくは、クロックの位相調整に用いられる再生信号ＲＦｎは、光ディスクのユーザデータ領域の先頭に記録された記録信号に起因して光ピックアップが再生した再生信号である。
光ディスク装置においては、ユーザデータ領域に記録された記録信号の再生動作に入る前に再生信号をサンプリングするのに適したクロックの位相調整が行なわれる。
したがって、この発明によれば、ユーザデータ領域に記録された記録信号を正確に再生できる。
好ましくは、光ディスクは、ランドと、ランドに隣接するグルーブと、ランドおよびグルーブの表面を覆うように形成された磁性層とを備え、グルーブおよびランドは、タンジェンシャル方向に所定周期ごとにファインクロックマークを含み、光ディスクのデータフォーマットは、複数のフレームと、複数のフレームの各々を構成する複数のセグメントとから成り、複数のセグメントの各々は、隣接する２つのファインクロックマーク間の領域が割り当てられ、光ピックアップは、複数のセグメントのうち、１つのセグメントに記録された記録信号を検出して再生信号ＲＦｎを出力する。
光ディスク装置においては、１つのフレームを構成する複数のセグメントのうち、１つのセグメントに記録された記録信号を再生して再生信号をサンプリングするのに適したクロックの位相調整が行なわれる。
したがって、この発明によれば、１つのセグメントに記録される記録信号と同じ単位の記録信号を用いてクロックの位相調整を行なうことができる。その結果、本来の記録信号の記録位置にずれが発生しても本来の記録信号を正確に再生できる。
好ましくは、光ディスク装置の光ピックアップは、複数のフレームの各々を構成する複数のセグメントのうち、１つのセグメントに記録された記録信号を検出して再生信号ＲＦｎを出力する。
光ディスク装置においては、複数のフレームの各々に記録された記録信号を再生して再生信号をサンプリングするのに適したクロックの位相調整が行なわれる。
したがって、この発明によれば、光ディスクの全体にわたって記録信号を正確に再生できる。
好ましくは、１つのセグメントは、第１の信号長を有する第１の記録信号と第１の信号長よりも長い第２の信号長を有する第２の記録信号とが記録されており、光ピックアップは、第１の記録信号を再生して再生信号ＲＦｎを出力する。
１つのセグメントに記録された信号長の異なる２つの信号のうち、信号長の短い信号を再生してクロックの位相調整が行なわれる。
したがって、この発明によれば、記録位置がずれやすい記録信号に基づいてクロックの位相調整を行なうことができる。
また、この発明による位相調整方法は、基準クロックを生成する基準となるファインクロックマークを含む光ディスクから信号を再生するときの再生クロックの位相を調整する位相調整方法であって、レーザ光を照射して光ディスクから信号を再生する第１のステップと、第１のステップにおいて再生された再生信号ＲＦｎ（ｎは自然数）を、ｎ＝１のとき基準クロックに同期してサンプリングし、ｎ≧２のとき再生信号ＲＦｎの直前の再生信号ＲＦｎ−１のサンプリングに適したクロックＣＬＫｎ−１に同期してサンプリングする第２のステップと、第２のステップにおいてサンプリングされた再生信号ＲＦｎのサンプル値を基準値と比較することによってクロックＣＬＫｎ−１の位相を補正すべき補正量を求め、補正量に基づいて再生信号ＲＦｎのサンプリングに適した位相を有する補正クロックＲＣＬＫｎを生成する第３のステップと、クロックＣＬＫｎ−１と補正クロックＲＣＬＫｎとの移動平均を演算してクロックＣＬＫｎを生成し、ｎ個のクロックＣＬＫｎの各々に対応するｎ個の位相の平均値を演算し、その演算した平均位相を有するクロックを再生クロックとして設定する第４のステップとを含む。
この発明による位相調整方法においては、光ディスクから再生された再生信号を、直前の再生信号をサンプリングするのに適したクロックに同期してサンプリングし、そのサンプリングしたサンプル値を基準値と比較することによってサンプリングに用いたクロックの位相を補正すべき補正量を求める。そして、その求めた補正量に基づいて再生した再生信号をサンプリングするのに適した補正クロックを生成する。生成した補正クロックと、再生信号のサンプリングに用いたクロックとの移動平均を演算して、再生しようとする信号の再生信号のサンプリングに適したクロックとする。このような補正をｎ個のクロックについて行ない、補正された各位相の平均値を求め、その平均位相を有するクロックを再生クロックとして設定する。
したがって、この発明によれば、光ディスクに記録される信号の位置がずれた場合でも、再生信号の振幅が大きくなるタイミングで再生信号をサンプリングできる。
好ましくは、再生信号ＲＦｎは、光ディスクに記録された一定の信号長を有する記録信号に基づく再生信号である。
一定の信号長を有する信号が再生され、その再生された再生信号をサンプリングするのに適したクロックの位相が調整される。つまり、光ディスクに記録された信号の位置ずれが再生信号のサンプリングのタイミングをずらせる要因になり、記録信号の位置ずれによる影響を除去して再生信号の振幅が大きくなるタイミングでサンプリングできるようにクロックの位相が調整される。
したがって、この発明によれば、光ディスクに記録される信号の位置ずれによる再生信号の特性低下を容易に除去できる。
発明を実施するための最良の形態
本発明の実施の形態について図面を参照しながら詳細に説明する。なお、図中同一または相当部分には同一符号を付してその説明は繰返さない。
図１を参照して、本発明による光ディスク装置がデータの記録および／または再生の対象とする光磁気記録媒体について説明する。光磁気記録媒体１００には、記録単位であるフレームが等間隔で配置されており、各フレームは３９個のセグメントＳ０，Ｓ１，Ｓ２，…，Ｓ３８によって構成されている。
光磁気記録媒体１００は、グルーブ１とランド２とを径方向に交互に形成した平面構造を有し、グルーブ１とランド２とがスパイラル状もしくは同心円状に配置されている。そして、各セグメントの長さは、５３２ＤＣＢ（Ｄａｔａ　Ｃｈａｎｎｅｌ　Ｂｉｔ）であり、各セグメントの先頭には、データの記録および再生を行なうクロックの位相情報を示すファインクロックマーク（ＦＣＭ：Ｆｉｎｅ　Ｃｌｏｃｋ　Ｍａｒｋ）３が形成されている。このファインクロックマーク３は、グルーブ１に一定間隔毎に一定長さのランドを設け、ランド２に一定間隔毎に一定長さのグルーブを設けることにより形成される。そして、フレームの先頭であるセグメントＳ０には、ファインクロックマーク３に続いて、光磁気記録媒体１００上のアドレスを示すアドレス情報がウォブル４〜９により光磁気記録媒体１００の製造時にプリフォーマットされている。そして、光磁気記録媒体１００は、プリフォーマットされたグルーブ１、ランド２、ファインクロックマーク３、およびウォブル４〜９を覆うように磁性層が形成されている。そして、磁性層にレーザ光を照射し、記録信号により変調された磁界を印加することによって光磁気記録媒体１００に信号が記録される。また、磁性層に所定強度のレーザ光を照射し、その反射光を検出することにより光磁気記録媒体１００から信号を再生する。
ウォブル４とウォブル５、ウォブル６とウォブル７、およびウォブル８とウォブル９とは、グルーブ１の互いに反対側の壁に形成されており、同じアドレス情報が記録されている。かかるアドレス情報の記録方式を片側スタガ方式と言い、片側スタガ方式を採用することにより光磁気記録媒体１００にチルト等が発生し、レーザ光がグルーブ１もしくはランド２の中心からずれた場合にも正確にアドレス情報を検出することができる。
アドレス情報が記録された領域とファインクロックマーク３が形成された領域はユーザデータを記録する領域としては利用されない。また、セグメントＳｎは、ファインクロックマーク３とユーザデータｎ−１とにより構成される。
図２を参照して、セグメントの詳細な構成について説明する。フレームを構成する各セグメントＳ０，Ｓ１，Ｓ２，…，Ｓ３８のうち、セグメントＳ０は光磁気記録媒体１００上にプリフォーマットされたアドレスセグメントであり、セグメントＳ１からセグメントＳ３８は、ユーザデータの記録領域として確保されたデータセグメントである。セグメントＳ０は、１２ＤＣＢのファインクロックマーク領域ＦＣＭと５２０ＤＣＢのアドレスとから構成され、セグメントＳ１は、１２ＤＣＢのファインクロックマーク領域ＦＣＭと、４ＤＣＢのプリライトと、５１２ＤＣＢのデータと、４ＤＣＢのポストライトとから構成される。
プリライトは、データの書出しを示すものであり、たとえば、所定のパターン「００１１」から構成され、ポストライトはデータの終わりを示すものであり、たとえば、所定のパターン「１１００」から構成される。
また、セグメントＳ１のユーザデータ領域には、再生時のデータの位置確認、再生クロックの位置補償、レーザパワー調整等を行なうための固定パターンであるヘッダが設けられている。ヘッダに記録する固定パターンは直流成分を抑えたパターン（「ＤＣフリーであるパターン」とも言う、以下同じ。）であり、たとえば、２Ｔのドメインを２Ｔの間隔で所定個数形成したものと、８Ｔのドメインを８Ｔの間隔で所定個数形成したものとが記録される。
そして、２Ｔのドメインを再生して得られるアナログ信号のサンプリングのタイミングがデータの記録、および再生に用いるクロックの位相に一致するように調整することによって位相補償を行ない、２Ｔのドメインと８Ｔのドメインとを再生し、８Ｔのドメインの再生信号強度に対する２Ｔのドメインの再生信号強度の比が５０％以上になるようにレーザパワーの調整を行なう。また、８Ｔのドメインを再生し、再生信号を２値化したディジタル信号の位置が予め予想された８Ｔのドメインのディジタル信号の位置と一致するかを確認することによって再生時のデータの位置確認を行なう。さらに、プリライト、ポストライト、およびヘッダの各パターンは、ユーザデータの記録時にユーザデータと連続して記録される。
なお、ヘッダに記録された２Ｔの信号を用いたクロックの位相調整については、後に詳細に説明する。
セグメントＳ２〜Ｓ３８は、１２ＤＣＢのファインクロックマーク領域ＦＣＭと、４ＤＣＢのプリライトと、５１２ＤＣＢのデータと、４ＤＣＢのポストライトとから構成される。
なお、ファインクロックマークＦＣＭおよびアドレスのようにプリフォーマットされた領域を「プリフォーマット領域」という。
図３を参照して、本発明による光ディスク装置について説明する。光ディスク装置２００は、スピンドルモータ１０１と、光ピックアップ１０２と、ファインクロックマーク検出回路（ＦＣＭ検出回路）１０３と、ＰＬＬ回路１０４と、アドレス検出回路１０５と、ＢＰＦ１０６と、ＡＤ変換器１０７と、波形等化回路１０８と、ビタビ復号回路１０９と、アンフォーマット回路１１０と、データ復調回路１１１と、ＢＣＨデコーダ１１２と、ヘッダ検出回路１１３と、コントローラ１１４と、タイミング発生回路１１５と、ＢＣＨエンコーダ１１６と、データ変調回路１１７と、フォーマット回路１２６と、磁気ヘッド駆動回路１２３と、レーザ駆動回路１２４と、磁気ヘッド１２５と、クロック設定回路１２７と、位相調整回路１２８とを備える。フォーマット回路１２６は、パターン発生回路１１９と、セレクタ１２０とを含む。
スピンドルモータ１０１は、光磁気記録媒体１００を所定の回転数で回転させる。光ピックアップ１０２は、光磁気記録媒体１００にレーザ光を照射し、その反射光を検出する。ＦＣＭ検出回路１０３は、光ピックアップ１０２が光磁気記録媒体１００のファインクロックマーク３の位置を示すファインクロックマーク検出信号ＦＣＭＴを検出し、その検出したファインクロックマーク検出信号ＦＣＭＴをＰＬＬ回路１０４、およびタイミング発生回路１１５へ出力する。
ＰＬＬ回路１０４は、ＦＣＭ検出回路１０３から出力されたファインクロックマーク検出信号ＦＣＭＴに基づいてクロックＣＫを生成し、その生成したクロックＣＫをクロック設定回路１２７へ出力する。
アドレス検出回路１０５は、光ピックアップ１０２が光磁気記録媒体１００のセグメントＳ０からラジアルプッシュプル法により検出したアドレス信号ＡＤＡを入力し、クロック設定回路１２７から入力されたクロックＣＫに同期してアドレス情報ＡＤを検出すると共に、アドレス情報ＡＤを検出したことを示すアドレス検出信号ＡＤＦをアドレス情報の最終位置で生成する。そして、検出したアドレス情報ＡＤをコントローラ１１４へ出力し、生成したアドレス検出信号ＡＤＦをヘッダ検出回路１１３およびタイミング発生回路１１５へ出力する。
ＢＰＦ１０６は、光磁気記録媒体１００から再生した再生信号ＲＦの高域と低域とを除去する。ＡＤ変換器１０７は、クロック設定回路１２７からのクロックＣＫに同期して再生信号ＲＦをアナログ信号からディジタル信号に変換する。
波形等化回路１０８は、クロック設定回路１２７からのクロックＣＫに同期してディジタル信号に変換された再生信号ＲＦにＰＲ（１，１）波形等化を行なう。すなわち、検出信号の前後のデータが１対１に波形干渉を行なうように等化する。そして、波形等化回路１０８は、波形等化を行なった信号をビタビ復号回路１０９および位相調整回路１２８へ出力する。
ビタビ復号回路１０９は、クロック設定回路１２７からのクロックＣＫに同期して再生信号ＲＦを多値から２値に変換し、その変換した再生信号ＲＦをアンフォーマット回路１１０、およびヘッダ検出回路１１３へ出力する。また、ビタビ復号回路１０９は、復号されたデータにおける”１”から”０”への変化タイミングでタイミング信号ＴＮを位相調整回路１２８へ出力する。
アンフォーマット回路１１０は、ヘッダ検出回路１１３から入力されたタイミング信号に同期して光磁気記録媒体１００のユーザデータ領域に記録されたプリライト、ポストライト、およびヘッダを除去する。
データ復調回路１１１は、クロック設定回路１２７からのクロックＣＫに同期してアンフォーマットされた再生信号ＲＦを入力して、記録時に施されたディジタル変調を解くための復調を行なう。
ＢＣＨデコーダ１１２は、復調された再生信号の誤り訂正を行ない、再生データとして出力する。ヘッダ検出回路１１３は、コントローラ１１４から入力されたアドレス情報ＡＤおよびアドレス検出回路１０５から入力されたアドレス検出信号ＡＤＦに基づいて再生信号に含まれるヘッダの位置を検出し、クロック設定回路１２７からのクロックＣＫに同期して再生信号からプリライトおよびヘッダのタイミング信号を生成する。そして、生成したヘッダのタイミング信号ＴＷをアンフォーマット回路１１０、データ復調回路１１１、および位相調整回路１２８へ出力する。
コントローラ１１４は、アドレス検出回路１０５で検出されたアドレス情報ＡＤを受け、そのアドレス情報ＡＤに基づいてサーボ機構（図示せず）を制御して光ピックアップ１０２を所望の位置にアクセスさせる。また、コントローラ１１４は、クロック設定回路１２７からのクロックＣＫに同期してアドレス情報ＡＤをヘッダ検出回路１１３へ出力するとともに、タイミング発生回路１１５を制御する。
タイミング発生回路１１５は、コントローラ１１４からの制御に基づいて、ＦＣＭ検出回路１０３から入力されたファインクロックマーク検出信号ＦＣＭＴ、およびアドレス検出回路１０５から入力されたアドレス検出信号ＡＤＦに基づいて、クロック設定回路１２７から入力されたクロックＣＫに同期してタイミング信号ＳＳを生成し、その生成したタイミング信号ＳＳをフォーマット回路１２６のパターン発生回路１１９およびセレクタ回路１２０、磁気ヘッド駆動回路１２３、およびレーザ駆動回路１２４へ出力する。
ＢＣＨエンコーダ１１６は、記録データに誤り訂正符号を付加する。データ変調回路１１７は、記録データを所定の方式に変調する。フォーマット回路１２６は、クロック設定回路１２７からのクロックＣＫに同期し、かつ、タイミング発生回路１１５からのタイミング信号ＳＳに基づいて、データ変調回路１１７からの記録データにプリライト、ヘッダ、およびポストライトを追加して記録データをユーザデータ領域にマッチするようにフォーマットする。そして、フォーマット回路１２６は、そのフォーマットした記録データと、プリフォーマット領域に記録すべきパターンデータとを、タイミング発生回路１１５からのタイミング信号ＳＳに基づいて選択的に磁気ヘッド駆動回路１２３へ出力する。
パターン発生回路１１９は、プリフォーマット領域に記録すべきパターンデータと、プリライト、ヘッダ、およびポストライトとしてのパターンデータとをクロック設定回路１２７からのクロック（ＣＫ）に同期して生成し、その生成したデータパターンをセレクタ回路１２０へ出力する。
セレクタ回路１２０は、タイミング発生回路１１５からのタイミング信号ＳＳに基づいて、データ変調回路１１７からの記録データと、パターン発生回路１１９からのパターンデータとを選択して磁気ヘッド駆動回路１２３へ出力する。
磁気ヘッド駆動回路１２３は、タイミング発生回路１１５からのタイミング信号ＳＳの各タイミングに同期し、かつ、フォーマット回路１２６からの出力に基づいて磁気ヘッド１２５を駆動する。
レーザ駆動回路１２４は、タイミング発生回路１１５からのタイミング信号ＳＳに基づいて、光ピックアップ１０２中の半導体レーザ（図示せず）を駆動する。
磁気ヘッド１２５は、磁気ヘッド駆動回路１２３によって駆動され、記録データまたはデータパターンによって磁界変調された磁界を光磁気記録媒体１００に印加する。
クロック設定回路１２７は、光磁気記録媒体１００からの信号再生時に、再生信号を処理するクロックの位相を設定する回路であり、後述する方法によって位相調整回路１２８から出力されたクロックの位相に基づいてＰＬＬ回路１０４からのクロックＣＫの位相を最適な位相に設定する。そして、クロック設定回路１２７は、最適な位相に設定したクロックをアドレス検出回路１０５、ＡＤ変換器１０７、波形等化回路１０８、ビタビ復号回路１０９、アンフォーマット回路１１０、データ復調回路１１１、コントローラ１１４、タイミング発生回路１１５、データ変調回路１１７、およびフォーマット回路１２６のパターン発生回路１１９へ出力する。また、クロック設定回路１２７は、信号の記録時にはＰＬＬ回路１０４からのクロックＣＫの位相を、そのまま、アドレス検出回路１０５、コントローラ１１４、タイミング発生回路１１５、データ変調回路１１７、およびフォーマット回路１２６のパターン発生回路１１９へ出力する。
位相調整回路１２８は、後述する方法によって、再生信号のサンプリングに適した位相を有するクロックを生成する。
図４を参照して、光磁気記録媒体１００からのアドレス情報ＡＤ、ファインクロックマークＦＣＭ、および光磁気信号ＲＦの検出について説明する。領域１０および領域３０は、光磁気記録媒体１００の製造時にプリフォーマットされるプリフォーマット領域を構成する。領域１０は、ウォブル４〜７とファインクロックマーク３とが形成される。また、領域３０は、ファインクロックマーク３が形成される。領域２０は、ユーザデータ領域を構成し、ユーザデータが記録される。
光磁気記録媒体１００にレーザ光を照射し、その反射光を検出する光ピックアップ１０２中の光検出器１０２０は、６つの検出領域１０２０Ａ，１０２０Ｂ，１０２０Ｃ，１０２０Ｄ，１０２０Ｅ，１０２０Ｆを有する。領域Ａ１０２０Ａと領域Ｂ１０２０Ｂ、領域Ｃ１０２０Ｃと領域Ｄ１０２０Ｄ、および領域Ｅ１０２０Ｅと領域Ｆ１０２０Ｆは光磁気記録媒体１００のタンジェンシャル方向ＤＲ２に配置され、領域Ａ１０２０Ａと領域Ｄ１０２０Ｄ、および領域Ｂ１０２０Ｂと領域Ｃ１０２０Ｃは光磁気記録媒体１００のラジアル方向ＤＲ１に配置される。
領域Ａ１０２０Ａ、領域Ｂ１０２０Ｂ、領域Ｃ１０２０Ｃ、および領域Ｄ１０２０Ｄは、それぞれ、光磁気記録媒体１００に照射されたレーザ光ＬＢのＡ領域、Ｂ領域、Ｃ領域、およびＤ領域での反射光を検出する。また、領域Ｅ１０２０Ｅ、および領域Ｆ１０２０Ｆは、レーザ光ＬＢのＡ領域、Ｂ領域、Ｃ領域、およびＤ領域の全体で反射されたレーザ光を、光ピックアップ１０２のウォラストンプリズム（図示せず）によって偏光面の異なる２つの方向に回折させたレーザ光を検出する。
ユーザデータ領域である領域２０に記録された光磁気信号の再生信号ＲＦは、光検出器１０２０の領域Ｅ１０２０Ｅで検出されたレーザ光強度［Ｅ］と領域Ｆ１０２０Ｆで検出されたレーザ光強度［Ｆ］との差を演算することによって検出される。すなわち、回路４０の差分器４００は、領域Ｅ１０２０Ｅで検出されたレーザ光強度［Ｅ］と領域Ｆ１０２０Ｆで検出されたレーザ光強度［Ｆ］との差分を演算し、再生信号ＲＦ＝［Ｅ］−［Ｆ］を出力する。
プリフォーマット領域を構成する領域１０のウォブル４〜７によって記録されたアドレス情報ＡＤの再生信号は、ラジアルプッシュプル法によって検出され、領域Ａ１０２０Ａで検出されたレーザ光強度［Ａ］と領域Ｂ１０２０Ｂで検出されたレーザ光強度［Ｂ］との和から領域Ｃ１０２０Ｃで検出されたレーザ光強度［Ｃ］と領域Ｄ１０２０Ｄで検出されたレーザ光強度［Ｄ］との和を減じたものとして検出される。すなわち、アドレス情報ＡＤは、回路５０を構成する加算器５００，５０１と減算器５０２とによって検出される。加算器５００は、領域Ａ１０２０Ａで検出されたレーザ光強度［Ａ］と領域Ｂ１０２０Ｂで検出されたレーザ光強度［Ｂ］とを加算した［Ａ＋Ｂ］を出力する。加算器５０１は、領域Ｃ１０２０Ｃで検出されたレーザ光強度［Ｃ］と領域Ｄ１０２０Ｄで検出されたレーザ光強度［Ｄ］とを加算した［Ｃ＋Ｄ］を出力する。そして、減算器５０２は、加算器５００の出力［Ａ＋Ｂ］から加算器５０１の出力［Ｃ＋Ｄ］を減算してアドレス情報の再生信号ＡＤ＝［Ａ＋Ｂ］−［Ｃ＋Ｄ］を出力する。
また、プリフォーマット領域を構成する領域３０のファインクロックマークＦＣＭは、タンジェンシャルプッシュプル法により検出され、領域Ａ１０２０Ａで検出されたレーザ光強度［Ａ］と領域Ｄ１０２０Ｄで検出されたレーザ光強度［Ｄ］との和から領域Ｂ１０２０Ｂで検出されたレーザ光強度［Ｂ］と領域Ｃ１０２０Ｃで検出されたレーザ光強度［Ｃ］との和を減じたものとして検出される。すなわち、ファインクロックマークＦＣＭは、回路５０を構成する加算器５０３，５０４と減算器５０５とによって検出される。加算器５０３は、領域Ａ１０２０Ａで検出されたレーザ光強度［Ａ］と領域Ｄ１０２０Ｄで検出されたレーザ光強度［Ｄ］とを加算した［Ａ＋Ｄ］を出力する。加算器５０４は、領域Ｂ１０２０Ｂで検出されたレーザ光強度［Ｂ］と領域Ｃ１０２０Ｃで検出されたレーザ光強度［Ｃ］とを加算した［Ｂ＋Ｃ］を出力する。そして、減算器５０５は、加算器５０３の出力［Ａ＋Ｄ］から加算器５０４の出力［Ｂ＋Ｃ］を減算してファインクロックマークの再生信号ＦＣＭ＝［Ａ＋Ｄ］−［Ｂ＋Ｃ］を出力する。
図５を参照して、図３に示す光ディスク装置２００を構成するＰＬＬ回路１０４の構成を説明する。ＰＬＬ回路１０４は、位相比較回路１０４１と、ＬＰＦ１０４２と、電圧制御発振器（ＶＣＯ）１０４３と、１／５３２分周器１０４４とを備える。１／５３２分周器１０４４は、電圧制御発振器（ＶＣＯ）１０４３から出力されるクロック（ＣＫ）を１／５３２に分周する。位相比較器１０４１は、１／５３２分周器１０４４により分周されたクロックＣＫ１の位相をファインクロックマーク検出信号ＦＣＭＴの位相と比較し、その位相差に応じた誤差電圧を発生する。したがって、このＰＬＬ回路１０４は、ファインクロックマーク検出信号ＦＣＭＴに同期し、かつ、ファインクロックマーク検出信号ＦＣＭＴの１／５３２の周期を有するクロックＣＫを生成する。
図６を参照して、ファインクロックマーク３の検出、およびクロックＣＫの生成について説明する。光ピックアップ１０２の光検出部１０２０は、上記図４を参照して説明したようにタンジェンシャルプッシュプル法によりファインクロックマーク信号ＦＣＭを検出し、その検出したファインクロックマーク信号ＦＣＭをＦＣＭ検出回路１０３へ出力する。ＦＣＭ検出回路１０３は、入力されたファインクロックマーク信号ＦＣＭに基づいてファインクロックマーク検出信号ＦＣＭＴを生成する。すなわち、ＦＣＭ検出回路１０３においては、ファインクロックマーク信号ＦＣＭは、所定のレベルでコンパレートされ、信号ＦＣＭＣに変換される。そして、信号ＦＣＭＣは信号／ＦＣＭＣに反転される。その後、ファインクロックマーク信号ＦＣＭの極性が切替わる点Ｐの位置に立ち上がりエッジが同期し、かつ、６ＤＣＢの振幅幅を有する検出窓信号ＤＥＷＩＮが生成され、信号／ＦＣＭＣと検出窓信号ＤＥＷＩＮとの論理積が演算されて信号ＦＣＭＰが生成される。そうすると、信号ＦＣＭＰの立ち上がりに同期した１ＤＣＢの振幅幅を有するファインクロックマーク検出信号ＦＣＭＴを生成する。
なお、図６のファインクロックマーク信号ＦＣＭは、レーザ光が光磁気記録媒体１００のグルーブ１を走行する場合に検出されるファインクロックマーク信号について説明した。レーザ光がランド２を走行する場合に検出されるファインクロックマーク信号は、その極性が変わるだけであり、点Ｐの位置は変化しない。したがって、レーザ光がランド２を走行する場合も、同様に信号ＦＣＭＰおよびファインクロックマーク検出信号ＦＣＭＴを生成できる。
ＦＣＭ検出回路１０３は、検出したファインクロックマーク検出信号ＦＣＭＴをＰＬＬ回路１０４へ出力する。ＰＬＬ回路１０４は、上記図５を参照して説明したようにファインクロックマーク検出信号ＦＣＭＴに同期し、かつ、ファインクロックマーク検出信号ＦＣＭＴを１／５３２に分周したクロックＣＫを生成する。
図７を参照して、アドレス検出回路１０５におけるアドレス情報の検出と、アドレス検出信号の生成とについて説明する。光ピックアップ１０２は、上記図４を参照して説明したように、ラジアルプッシュプル法によりウォブルで記録されたアドレス信号ＡＤＡを検出し、アドレス信号ＡＤＡはアドレス検出回路１０５へ入力される。アドレス検出回路１０５は、アドレス信号ＡＤＡを２値化した２値化信号ＡＤＤを生成し、２値化信号ＡＤＤに基づいてアドレス情報ＡＤを検出する。それとともに、アドレス検出回路１０５は、２値化信号ＡＤＤとアドレス情報ＡＤとに基づいて、アドレス信号の最終位置Ｆを示すアドレス検出信号ＡＤＦをクロック設定回路１２７からのクロックＣＫに同期して生成する。このアドレス検出信号ＡＤＦは、アドレス情報の最終位置Ｆを含むような一定の長さＴが決定されて生成される。すなわち、２値化信号ＡＤＤの最初の位置に同期するクロックＣＫの成分からアドレス信号の最終位置Ｆに同期するクロックＣＫの成分までをカウントする。そして、最終位置Ｆにおけるカウント値をＫとし、カウント値Ｋを中心にして前後にｐカウント分だけずれたカウント値Ｋ−ｐとカウント値Ｋ＋ｐとの間に一定の長さＴを有するパルス成分が発生するようにアドレス検出信号ＡＤＦを生成する。
図８を参照して、タイミング発生回路１１５におけるタイミング信号ＳＳの生成について説明する。アドレス検出回路１０５からアドレス検出信号ＡＤＦが入力され、ＦＣＭ検出回路１０３からファインクロックマーク検出信号ＦＣＭＴが入力され、クロック設定回路１２７からクロックＣＫが入力されると、タイミング発生回路１１５は、いずれのファインクロックマーク検出信号ＦＣＭＴのタイミングでアドレス検出信号ＡＤＦが存在するか否かを判別し、アドレス検出信号ＡＤＦが存在したファインクロックマーク検出信号ＦＣＭＴの成分ＦＣＭＴ１と、成分ＦＣＭＴ１の前に存在する成分ＦＣＭＴ２とを含むような成分ＳＳ１と、ファインクロックマーク検出信号ＦＣＭＴの成分ＦＣＭＴ３，ＦＣＭＴ４のみを含むような成分ＳＳ２，ＳＳ３とから成るタイミング信号ＳＳをクロックＣＫに同期して生成する。この場合、ファインクロックマーク検出信号ＦＣＭＴの成分ＦＣＭＴ１，ＦＣＭＴ２，ＦＣＭＴ３，ＦＣＭＴ４の各々は、ファインクロックマーク３の中心位置に同期しており、ファインクロックマーク３の長さは１２ＤＣＢと予め決定されているので、タイミング発生回路１１５は、ウォブル４，５が形成された領域と、その領域の両側に存在するファインクロックマーク３，３の領域とを包含するように成分ＳＳ１を生成し、ファインクロックマーク検出信号ＦＣＭＴの成分ＦＣＭＴ３，ＦＣＭＴ４に対応するファインクロックマーク３，３の領域を包含するように成分ＳＳ２，ＳＳ３を生成し、ユーザデータを記録する領域２０，２０，２０に対応するように成分ＳＳ４，ＳＳ５，ＳＳ６を生成する。
図９を参照して、図３に示す光ディスク装置２００のフォーマット回路１２６を構成するセレクタ回路１２０の動作について説明する。タイミング発生回路１１５からタイミング信号ＳＳがセレクタ回路１２０に入力されると、セレクタ回路１２０は、タイミング信号ＳＳに基づいてデータ変調回路１１７からの記録データ（ＷＤ）と、パターン発生回路１１９からのパターンデータ（ＫＤ）とを選択する。セレクタ回路１２０は、タイミング信号（ＳＳ）がＨ（論理ハイ）レベルのときパターン発生回路１１９からのパターンデータ（ＫＤ）を選択し、タイミング信号（ＳＳ）がＬ（論理ロー）レベルのときデータ変調回路１１７からの記録データ（ＷＤ）を選択する。
光磁気記録媒体１００上でのデータ構成（ＤＦ）がＦＣＭ／ＡＤＤ／ＦＣＭ／ＰＥＷ／ＨＥＤ／ＤＡ／ＰＯＷ／ＦＣＭ／ＰＥＷ／ＤＡ／ＰＯＷである場合にデータ変調回路１１７から記録データ（ＷＤ）が出力され、パターン発生回路１１９からパターンデータ（ＫＤ）が出力されると、セレクタ回路１２０は、タイミング信号（ＳＳ）の成分ＳＳ１に基づいて、パターン発生回路１１９からのパターンデータ「１１１１００００１１１１００００」を選択して磁気ヘッド駆動回路１２３へ出力する。続いて、セレクタ回路１２０は、成分ＳＳ４に基づいて、データ変調回路１１７からの記録データのうち４ｂｉｔｓのプリライト、３２０ｂｉｔｓのヘッダ、１９２ｂｉｔｓのデータ、４ｂｉｔｓのポストライトを選択して磁気ヘッド駆動回路１２３へ出力する。さらに、続いて、セレクタ回路１２０は、成分ＳＳ２に基づいて、パターン発生回路１１９からのデータパターン「１１００」を選択して磁気ヘッド駆動回路１２３へ出力する。またさらに、続いて、セレクタ回路１２０は、成分ＳＳ５に基づいて、データ変調回路１１７からの記録データ（ＷＤ）のうち、４ｂｉｔｓのプリライト、５１２ｂｉｔｓのデータ、４ｂｉｔｓのポストライトを選択して磁気ヘッド駆動回路１２３へ出力する。これにより、磁気ヘッド駆動回路１２３へ記録データ列（ＫＷＤ）が出力される。
図９から明らかなように、記録データ列（ＫＷＤ）を磁気ヘッド駆動回路１２３へ出力することにより、光磁気記録媒体１００上のＦＣＭ／ＡＤＤ／ＦＣＭが形成された領域１０に光磁気信号「１１１１００００１１１１００００」が記録され、ＦＣＭが形成された領域３０に光磁気信号「１１００」が記録される。このように、光磁気記録媒体１００上のデータ構成（ＤＦ）の全ての領域に光磁気信号を記録するのは、ユーザデータ領域である領域２０からデータを再生した場合に、再生信号の直流成分を抑制するためである。
図１０を参照して、図３に示す光ディスク装置２００のフォーマット回路１２６を構成するパターン発生回路１１９およびセレクタ１２０と、タイミング発生回路１１５とについて詳細に説明する。
タイミング発生回路１１５は、５３２計上カウンタ１１５０と、一致回路１１５１と、３９計上カウンタ１１５２と、カウンタ値比較回路群１１５３とから成る。５３２計上カウンタ１１５０は、ＦＣＭ検出回路１０３からのファインクロックマーク検出信号ＦＣＭＴが入力されるとリセットされ、クロック設定回路１２７から入力されたクロックＣＫをカウントし、そのカウント値を一致回路１１５１およびカウント値比較回路群１１５３へ出力する。一致回路１１５１は、５３２計上カウンタ１１５０から入力されるカウント値の最大カウント値が５３１に一致するか否かを判別し、一致するとき一致信号ＭＴＣを３９計上カウンタ１１５２へ出力する。３９計上カウンタ１１５２は、アドレス検出回路１０５から入力されるアドレス検出信号ＡＤＦによってリセットされ、一致信号ＭＴＣをカウントし、そのカウント値をカウンタ値比較回路群１１５３へ出力する。
カウンタ値比較回路群１１５３は、３９計上カウンタ１１５２から入力されたカウント値に基づいて光磁気記録媒体１００のセグメントＳ０〜Ｓ３８を特定し、５３２計上カウンタ１１５０から入力されたカウント値に基づいてセグメントＳ０〜Ｓ３８の各々におけるファインクロックマーク、アドレス、プリライト、ポストライト、ヘッダ、およびデータ等の位置を特定する。そして、カウンタ値比較回路群１１５３は、特定したファインクロックマークの位置に基づいて、ファインクロックマークタイミング信号ＴＳＦＣＭ１〜３をパターン発生回路１１９のＦＣＭパターン発生回路１１９０およびセレクタ回路１２０へ出力する。また、カウンタ値比較回路群１１５３は、特定したヘッダの位置に基づいて、ヘッダタイミング信号ＴＳＨＥＤをパターン発生回路１１９のヘッダパターン発生回路１１９１およびセレクタ回路１２０へ出力する。さらに、カウンタ値比較回路群１１５３は、特定したアドレスの位置に基づいて、アドレスタイミング信号ＴＳＡＤをパターン発生回路１１９のアドレスパターン発生回路１１９２およびセレクタ回路１２０へ出力する。またさらに、カウンタ値比較回路群１１５３は、特定したプリライトの位置に基づいて、プリライトタイミング信号ＴＳＰＲＷ１，２をパターン発生回路１１９のプリライトパターン発生回路１１９３およびセレクタ回路１２０へ出力する。またさらに、カウンタ値比較回路群１１５３は、特定したポストライトの位置に基づいて、ポストライトタイミング信号ＴＳＰＯＷ１，２をパターン発生回路１１９のポストライトパターン発生回路１１９４およびセレクタ回路１２０へ出力する。また、さらに、カウンタ値比較回路群１１５３は、特定したデータの位置に基づいて、データタイミング信号ＴＳＤＡ１，２をフォーマット回路１１８およびセレクタ回路１２０へ出力する。またさらに、カウンタ値比較回路群１１５３は、アドレス検出回路１０５からディフェクトフレーム検出信号が入力されると、固定タイミング信号ＴＳＨＬＤを固定パターン発生回路１１９の固定パターン発生回路１１９５およびセレクタ回路１２０へ出力する。
パターン発生回路１１９は、ＦＣＭパターン発生回路１１９０と、ヘッダパターン発生回路１１９１と、アドレスパターン発生回路１１９２と、プリライトパターン発生回路１１９３と、ポストライトパターン発生回路１１９４と、固定パターン発生回路１１９５とから成る。ＦＣＭパターン発生回路１１９０は、ファインクロックマークタイミング信号ＴＳＦＣＭ１〜３に同期してファインクロックマークが形成された領域に記録すべきパターンデータを生成し、セレクタ回路１２０へ出力する。ヘッダパターン発生回路１１９１は、ヘッダタイミング信号ＴＳＨＥＤに同期してヘッダ領域に記録すべきパターンデータを生成し、セレクタ回路１２０へ出力する。
アドレスパターン発生回路１１９２は、アドレスタイミング信号ＴＳＡＤに同期してアドレス領域に記録すべきパターンデータを生成し、セレクタ回路１２０へ出力する。プリライトパターン発生回路１１９３は、プリライトタイミング信号ＴＳＰＲＷ１，２に同期してプリライト領域に記録すべきパターンデータを生成し、セレクタ回路１２０へ出力する。
ポストライトパターン発生回路１１９４は、ポストライトタイミング信号ＴＳＰＯＷ１，２に同期してポストライト領域に記録すべきパターンデータを生成し、セレクタ１２０へ出力する。固定パターン発生回路１１９５は、固定タイミング信号ＴＳＨＬＤに同期して傷が存在するフレームに記録すべきパターンデータを生成し、セレクタ１２０へ出力する。
セレクタ１２０は、カウンタ値比較回路群１１５３から入力されたファインクロックマークタイミング信号ＴＳＦＣＭ１〜３に同期して、ＦＣＭパターン発生回路１１９０から入力されたファインクロックマーク領域に記録すべきパターンデータを磁気ヘッド駆動回路１２３へ出力する。また、セレクタ１２０は、カウンタ値比較回路群１１５３から入力されたヘッダタイミング信号ＴＳＨＥＤに同期して、ＦＣＭパターン発生回路１１９０から入力されたヘッダ領域に記録すべきパターンデータを磁気ヘッド駆動回路１２３へ出力する。さらに、セレクタ１２０は、カウンタ値比較回路群１１５３から入力されたアドレスタイミング信号ＴＳＡＤに同期して、アドレスパターン発生回路１１９２から入力されたアドレス領域に記録すべきパターンデータを磁気ヘッド駆動回路１２３へ出力する。また、さらに、セレクタ１２０は、カウンタ値比較回路群１１５３から入力されたプリライトタイミング信号ＴＳＰＲＷ１，２に同期して、プリライトパターン発生回路１１９３から入力されたプリライト領域に記録すべきパターンデータを磁気ヘッド駆動回路１２３へ出力する。またさらに、セレクタ１２０は、カウンタ値比較回路群１１５３から入力されたポストライトタイミング信号ＴＳＰＯＷ１，２に同期して、ポストライトパターン発生回路１１９４から入力されたポストライト領域に記録すべきパターンデータを磁気ヘッド駆動回路１２３へ出力する。また、さらに、セレクタ１２０は、カウンタ値比較回路群１１５３から入力された固定タイミング信号ＴＳＨＬＤに同期して、固定パターン発生回路１１９５から入力された欠損が存在するフレーム全体に記録すべきパターンデータを磁気ヘッド駆動回路１２３へ出力する。
図１０〜１２を参照して、タイミング発生回路１１５、パターン発生回路１１９、およびセレクタ回路１２０の動作について説明する。タイミング発生回路１１５の５３２計上カウンタ１１５０は、ＦＣＭ検出回路１０３からのファインクロックマーク検出信号ＦＣＭＴが入力されるとカウント値をリセットし、クロック設定回路１２７から入力されたクロックＣＫをカウントする。すなわち、５３２計上カウンタ１１５０は、図１１のファインクロックマーク検出信号ＦＣＭＴの成分Ｓ１，Ｓ２，…が入力されるとリセットし、隣接成分Ｓ１，Ｓ２間におけるクロックＣＫをカウントする。ファインクロックマーク検出信号ＦＣＭＴの隣接成分Ｓ１，Ｓ２間には、通常、５３２個のクロック成分が存在するため、５３２計上カウンタ１１５０は、カウント値０〜５３１を一致回路１１５１およびカウンタ値比較回路群１１５３へ出力する。
そうすると、一致回路１１５１は、入力されたカウント値のうち、最大のカウント値が５３１であるか否かを判別し、５３１に一致するとき一致信号ＭＴＣを３９計上カウンタ１１５２へ出力する。そうすると、３９計上カウンタ１１５２は、アドレス検出回路１０５からアドレス検出信号ＡＤＦが入力されるとリセットされ、一致信号ＭＴＣをカウントし、そのカウント値０〜３８をカウント値比較回路群１１５３へ出力する。なお、アドレス検出信号ＡＤＦは、１フレームごと、すなわち、３９セグメントごとに入力されるので、３９計上カウンタ１１５２は、０〜３８のカウント値をカウント値比較回路群１１５３へ出力する。
カウント値比較回路群１１５３は、３９計上カウンタ１１５２から入力されたカウント値が「０」のとき、セグメントＳ０、すなわちアドレス情報ＡＤがプリフォーマットされている領域であることを認識する。次に、カウント値比較回路群１１５３は、５３２計上カウンタ１１５０からのカウント値が０〜１１，１２〜５３１のとき、それぞれ、セグメントＳ０におけるファインクロックマーク領域、アドレス領域であることを認識する。そして、カウント値比較回路群１１５３は、ファインクロックマークタイミング信号ＴＳＦＣＭ１およびアドレスタイミング信号ＴＳＡＤを生成し、それぞれ、ＦＣＭパターン発生回路１１９０、アドレスパターン発生回路１１９２へ出力する。
また、３９計上カウンタ１１５２から入力されたカウント値が「１」であるとき、カウント値比較回路群１１５３は、セグメントＳ１を認識する。次に、カウント値比較回路群１１５３は、５３２計上カウンタ１１５０からのカウント値が０〜１１，１２〜１５，１６〜３３５，３３６〜５２５，５２６〜５２９のとき、それぞれ、ファインクロックマーク領域、プリライト領域、ヘッダ領域、データ領域、ポストライト領域であることを認識する。そして、カウント値比較回路群１１５３は、ファインクロックマークタイミング信号ＴＳＦＣＭ２、プリライトタイミング信号ＴＳＰＲＷ１、ヘッダタイミング信号ＴＳＨＥＤ、データタイミング信号ＴＳＤＡ１、およびポストライトタイミング信号ＴＳＰＯＷ１を生成し、それぞれ、ＦＣＭパターン発生回路１１９０、プリライトパターン発生回路１１９３、ヘッダパターン発生回路１１９１、データ変調回路１１７、およびポストライトパターン発生回路１１９４へ出力する。
さらに、３９計上カウンタ１１５２から入力されたカウント値が「２」〜「３８」であるとき、カウント値比較回路群１１５３は、セグメントＳ２〜Ｓ３８を認識する。次に、カウント値比較回路群１１５３は、５３２計上カウンタ１１５０からのカウント値が０〜１１，１２〜１５，１６〜５２７，５２８〜５３１のとき、それぞれ、ファインクロックマーク領域、プリライト領域、データ領域、ポストライト領域であることを認識する。そして、カウント値比較回路群１１５３は、ファインクロックマークタイミング信号ＴＳＦＣＭ３、プリライトタイミング信号ＴＳＰＲＷ２、データタイミング信号ＴＳＤＡ２、およびポストライトタイミング信号ＴＳＰＯＷ２を生成し、それぞれ、ＦＣＭパターン発生回路１１９０、プリライトパターン発生回路１１９３、データ変調回路１１７およびポストライトパターン発生回路１１９４へ出力する。
ＦＣＭパターン発生回路１１９０は、ファインクロックマークタイミング信号ＴＳＦＣＭ１〜３の各々に同期して１２ＤＣＢのパターンデータ「１１１１００００１１１１」を生成し、セレクタ回路１２０へ出力する。ヘッダパターン発生回路１１９１は、ヘッダタイミング信号ＴＳＨＥＤに同期して３２０ＤＣＢのパターンデータ「１１００１１００…１１００１１１１１１１１００００００００１１１１１１１１００００００００…１１１１１１１１００００００００」を生成し、セレクタ回路１２０へ出力する。３２０ＤＣＢのパターンデータは、上述したように２Ｔの信号を２Ｔの間隔で所定数記録し、８Ｔの信号を８Ｔの間隔で所定数記録するためのパターンデータであり、レーザ光の最適強度、再生信号をサンプリングするクロックの最適位相等を決定するために用いられる。
アドレスパターン発生回路１１９２は、アドレスタイミング信号ＴＳＡＤに同期して５２０ＤＣＢのパターンデータ「１１１１００００１１１１００００…１１１１００００」を生成し、セレクタ回路１２０へ出力する。プリライトパターン発生回路１１９３は、プリライトタイミング信号ＴＳＰＲＷ１，２に同期して４ＤＣＢのパターンデータ「００１１」を生成し、セレクタ回路１２０へ出力する。ポストライトパターン発生回路１１９４は、ポストライトタイミング信号ＴＳＰＯＷ１，２に同期して４ＤＣＢのパターンデータ「１１００」を生成し、セレクタ回路１２０へ出力する。固定パターン発生回路１１９５は、固定パターンタイミング信号ＴＳＨＬＤに同期して５３２×３９＝２０７４８ＤＣＢのパターンデータ「１１１１００００１１１１００００…１１１１００００」を生成し、セレクタ回路１２０へ出力する。
セレクタ回路１２０は、ファインクロックマークタイミング信号ＴＳＦＣＭ１に同期して１２ＤＣＢのパターンデータ「１１１１００００１１１１」を磁気ヘッド駆動回路１２３へ出力し、アドレスタイミング信号ＴＳＡＤに同期して５２０ＤＣＢのパターンデータ「１１１１００００１１１１００００…１１１１００００」を磁気ヘッド駆動回路１２３へ出力する。
また、セレクタ回路１２０は、ファインクロックマークタイミング信号ＴＳＦＣＭ２に同期して１２ＤＣＢのパターンデータ「１１１１００００１１１１」を磁気ヘッド駆動回路１２３へ出力し、プリライトタイミング信号ＴＳＰＲＷに同期して４ＤＣＢのパターンデータ「００１１」を磁気ヘッド駆動回路１２３へ出力する。
さらに、セレクタ回路１２０は、ヘッダタイミング信号ＴＳＨＥＤに同期して３２０ＤＣＢのパターンデータ「１１００１１００１１００１１００…１１１１１１１１００００００００１１１１１１１１」を磁気ヘッド駆動回路１２３へ出力し、データタイミング信号ＴＳＤＡ１に同期して１９２ＤＣＢの記録データを磁気ヘッド駆動回路１２３へ出力する。
また、さらに、セレクタ回路１２０は、ポストライトタイミング信号ＴＳＰＯＷに同期して４ＤＣＢのパターンデータ「１１００」を磁気ヘッド駆動回路１２３へ出力し、ファインクロックマークタイミング信号ＴＳＦＣＭ３に同期して１２ＤＣＢのパターンデータ「１１１１００００１１１１」を磁気ヘッド駆動回路１２３へ出力する。
また、さらに、セレクタ回路１２０は、プリライトタイミング信号ＴＳＰＲＷに同期して４ＤＣＢのパターンデータ「００１１」を磁気ヘッド駆動回路１２３へ出力し、データタイミング信号ＴＳＤＡ２に同期して５１２ＤＣＢの記録データを磁気ヘッド駆動回路１２３へ出力し、ポストライトタイミング信号ＴＳＰＯＷに同期して４ＤＣＢのパターンデータ「１１００」を磁気ヘッド駆動回路１２３へ出力する。またさらに、セレクタ回路１２０は、固定パターンタイミング信号ＴＳＨＬＤに同期して２０７４８ＤＣＢの「１１１１００００…１１１１００００」を磁気ヘッド駆動回路１２３へ出力する。
これにより、図９に示す記録データ列（ＫＷＤ）が磁気ヘッド駆動回路１２３へ出力され、光磁気記録媒体１００に記録される。
上述したように、ユーザデータ領域２０に記録された記録信号を再生するとき、ヘッダに記録された２Ｔの信号を再生して再生信号のサンプリングを行なうのに適したクロックの位相調整を行なう。ヘッダ領域には、２Ｔの信号が２Ｔの間隔で連続して記録されているためヘッダ領域からの再生信号は図１３に示すように正弦波状の信号である。
図１４〜１７を参照して、クロックの位相調整の原理について説明する。図１４〜１６に示す波形信号は、ヘッダ領域から再生した２Ｔの信号の再生信号であり、丸印は再生クロックの発生タイミングを示す。なお、図１４は、クロックの位相が適正な場合、図１５は、クロックの位相が再生信号に対して先行している場合、図１６は、クロック位相が再生信号に対して遅延している場合を、それぞれ、示す。また、Ｘｉ−１，Ｘｉ，Ｘｉ＋１は、クロックの発生タイミングでサンプリングした再生信号のサンプリング値である。Ｈ＿Ｌｅｖｅｌ，Ｃ＿Ｌｅｖｅｌ，Ｌ＿Ｌｅｖｅｌは、それぞれ、ピーク、センター、ボトムにおける再生信号レベルの期待値である。
ＥＲＲは、ヘッダ領域からの再生信号におけるセンター付近のサンプル値Ｘｉと期待値Ｃ＿Ｌｅｖｅｌとの差（ＥＲＲ＝Ｘｉ−Ｃ＿Ｌｅｖｅｌ）であり、再生信号とクロックＣＫの位相ずれ量を表している。すなわち、クロックの位相が適正な場合（図１４参照）には、ＥＲＲ＝０となり、両者の位相ずれ量は０である。これに対して、クロックの位相が再生信号に対して先行している場合（図１５参照）には、ＥＲＲ＜０となり、逆にクロックの位相が再生信号に対して遅延している場合（図１６参照）には、ＥＲＲ＞０となる。
したがって、ＥＲＲが正か負かを判別することによってクロックの位相をどのように補正すればよいかが解かる。
そこで、ＥＲＲ＞０またはＥＲＲ＜０を検出してクロックの補正すべき位相量を算出し、その算出した位相量に基づいてクロックの位相を補正した補正クロックを生成する。そして、ヘッダ領域に記録された複数の２Ｔ信号について補正クロックを生成し、その生成した補正クロックの平均位相を再生クロックの位相として設定する。
すなわち、図１７を参照して、ヘッダ領域から再生した最初の再生信号ＲＦ１を基準クロックＣＬＫ０によってサンプリングし、そのサンプル値を上述したように期待値Ｃ＿Ｌｅｖｅｌと比較し、ＥＲＲが正か負かを求める。そして、ＥＲＲの極性に応じて、再生信号ＲＦ１を適切にサンプリングするための位相を有する補正クロックＲＣＬＫ１を生成する。生成した補正クロックＲＣＬＫ１の位相と、再生信号ＲＦ１のサンプリングに用いた基準クロックＣＬＫ０の位相との移動平均を求め、その平均位相を有するクロックＣＬＫ１を再生信号ＲＦ１のサンプリングに適したクロックとする。なお、基準クロックＣＬＫ０は、光磁気記録媒体１００からファインクロックマーク３を検出してＰＬＬ回路１０４によって生成されたクロックである。
次に、ヘッダ領域から再生した２番目の２Ｔ信号の再生信号ＲＦ２を、再生信号ＲＦ１のサンプリングに適したクロックＣＬＫ１によってサンプリングし、そのサンプル値を上述したように期待値Ｃ＿Ｌｅｖｅｌと比較し、ＥＲＲが正か負かを求める。そして、ＥＲＲの極性に応じて、再生信号ＲＦ２を適切にサンプリングするための位相を有する補正クロックＲＣＬＫ２を生成する。生成した補正クロックＲＣＬＫ２の位相と、再生信号ＲＦ２のサンプリングに用いたクロックＣＬＫ１の位相との移動平均を求め、その平均位相を有するクロックＣＬＫ２を再生信号ＲＦ２のサンプリングに適したクロックとする。
上述した方法によって、ヘッダ領域に記録されている複数の２Ｔ信号に対して、順次、その再生信号ＲＦｎ（ｎは自然数）をサンプリングするのに適した位相を有するクロックＣＬＫｎを求める。そして、ｎ個のクロックＣＬＫｎの各々に対応するｎ個の位相の平均を求め、その平均位相を有するクロックを再生クロックＣＬＫｏｐｔとして設定する。これによって、ヘッダ領域に記録された複数の２Ｔ信号の記録位置が相互にずれていても、位置がずれた２Ｔ信号を振幅が大きくなるタイミングでサンプリングできる。
図１８を参照して、図３に示す光ディスク装置２００の位相調整回路１２８は、補正量検出回路１２８１と、位相補正回路１２８２とから成る。位相調整回路１２８は、上述した補正クロックＲＣＬＫｎを生成する回路である。図１９を参照して、補正量検出回路１２８１は、減算器５１と、ゲート５２，５４，５５と、レベル判定器５３と、アップダウンカウンタ５６と、比較器５７，５８と、エッジ検出回路５９とから成る。減算器５１は、波形等化回路１０８から入力されたサンプルデータＤｉｎから期待値Ｃ＿Ｌｅｖｅｌを減算して位相ずれ量ＥＲＲを出力する。ゲート５２は、ビタビ復号回路１０９からのサンプルデータＤｉｎの”１”から”０”への変化点を示すタイミング信号ＴＮと、ヘッダ検出回路１１３からのヘッダ領域の検出を示すタイミング信号ＴＷとを入力し、図１４〜図１６におけるＸｉの位置を示すタイミング信号を出力する。レベル判定器５３は、ゲート５２の出力である上記タイミング信号に応じて、位相ずれ量ＥＲＲが所定の範囲内（すなわち、データ再生に影響を与えない範囲内）にあるか、あるいは所定の範囲以上であるか、所定の範囲以下であるかを判定する。そして、レベル判定器５３は、位相ずれ量ＥＲＲが所定の範囲外にあるときのみ、ゲート５４，５５に動作信号を出力する。この場合、レベル判定器５３は、位相ずれ量ＥＲＲが指定の範囲よりも小さいとき、ゲート５４を介してアップダウンカウンタ５６にアップ指令（ＵＰ）を出力し、位相ずれ量ＥＲＲが所定の範囲よりも大きいとき、ゲート５５を介してアップダウンカウンタ５６にダウン指令（ＤＯＷＮ）を出力する。
ゲート５４は、レベル判定器５３からアップ指令を受け、かつ、比較器５８からの信号がＨレベル（不一致、＜ｍ）にあるときにアップダウンカウンタ５６にアップ指令を出力する。
ゲート５５は、レベル判定器５３からダウン指令を受け、かつ、比較器５７からの信号がＨレベル（不一致、＜０）にあるときにアップダウンカウンタ５６にダウン指令を出力する。
比較器５７，５８は、位相補正回路１２８２において補正可能な補正量の上限である値”ｍ”と、下限である”０”との比較結果を、それぞれ、出力する。比較器５７，５８は、アップダウンカウンタ５６の値が、０〜ｍの範囲から逸脱しないようにするリミッタとして機能するものであり、アップダウンカウンタ５６の値が値”ｍ”または”０”に達したときに制御信号を出力する。アップダウンカウンタ５６は、ゲート５２から動作指令信号が入力され、かつ、レベル判定器５３からアップ指令またはダウン指令が入力されると、カウント値を１だけカウントアップまたはカウントダウンし、カウント値である補正量ＳＥＬ１を出力する。
エッジ検出回路５９は、ヘッダ検出回路１１３からのタイミング信号ＴＷに先行したタイミング信号を生成し、アップダウンカウンタ５６のＩＮＩＴ端子に与える。アップダウンカウンタ５６は、ＩＮＩＴ端子にエッジ検出回路５９の出力が入力されると、初期値（ｍ／２付近の整数値）がセットされる。すなわち、アップダウンカウンタ５６は、ヘッダ領域が検出される毎に初期値が設定される。
図２０を参照して、補正量検出回路１２８１の動作を説明する。光ピックアップ１０２によって検出された２Ｔ信号の再生信号ＲＦｎは、ＡＤ変換器１０７によってアナログ信号からディジタル信号に変換され、波形等化回路１０８を介して位相調整回路１２８の補正量検出回路１２８１へ入力される。また、ヘッダ検出回路１１３は、ヘッダ領域の検出信号ＴＷを位相調整回路１２８の補正量検出回路１２８１へ出力する。さらに、ビタビ復号回路１０９は、タイミング信号ＴＮを位相調整回路１２８の補正量検出回路１２８１へ出力する。そうすると、エッジ検出回路５９からのタイミング信号ＴＷに先行したタイミング信号がアップダウンカウンタ５６のＩＮＩＴ端子に入力され、補正量ＳＥＬが初期値ｍ／２にセットされる。そして、図１４〜図１７におけるＸｉの位置を示すタイミング信号ＴＮに応じて、レベル判定器５３は位相ずれ量ＥＲＲのレベルを判定し、アップダウンカウンタ５６のカウント値を変化させる。そして、アップダウンカウンタ５６は、カウント値ＳＥＬ１を出力する。
図２１を参照して、位相補正回路１２８１は、選択器８１と、遅延線８２とから成る。選択器８１は、アップダウンカウンタ５６からのカウント値ＳＥＬ１に応じて、遅延クロックＤＣＬＫ０〜ＤＣＬＫｍから１つの遅延クロックを選択して、補正クロックＲＣＬＫｎとして出力する。この場合、カウント値がｎ（０≦ｎ≦ｍ）であるとすると、遅延クロックＤＣＬＫ０〜ＤＣＬＫｍのうちから遅延クロックＤＣＬＫｎが選択されることになる。遅延線８２は、ＰＬＬ回路１０４からのクロックＣＫを入力し、等間隔の遅延量であるｍ＋１種類の遅延クロックＤＣＬＫ０〜ＤＣＬＫｍを出力する。
選択器８１は、アップダウンカウンタ５６からカウント値ＳＥＬ１が入力されると、カウント値に応じて遅延線８２から出力された遅延クロックＤＣＬＫ０〜ＤＣＬＫｍのうちから１つの遅延クロックＤＣＬＫｎを選択し、補正クロックＲＣＬＫｎとしてクロック設定回路１２７へ出力する。
図１８〜図２１を参照して説明したように、位相調整回路１２８は光磁気記録媒体１００のヘッダ領域から再生した２Ｔ信号の再生信号のサンプル値に応じて、再生信号のサンプリングのタイミングを規定するクロックの位相を補正した補正クロックＲＣＬＫｎを出力する。
そうすると、クロック設定回路１２７は、位相調整回路１２８からの補正クロックＲＣＬＫｎと、直前の再生信号をサンプリングするのに適したクロックＣＬＫｎ−１との移動平均を演算してクロックＣＬＫｎを生成する。そして、クロック設定回路１２７は、ｎ個のクロックＣＬＫｎのｎ個の位相の平均を演算し、その演算した平均位相を有するクロックを再生クロックとして設定する。
これによって、複数の２Ｔ信号の記録位置が、相互間でずれている場合であっても複数の２Ｔ信号に対して再生信号の振幅が大きくなるタイミングでサンプリングすることができる。
図２２を参照して、本発明によるクロックの位相調整の方法について説明する。調整動作が開始されると、調整値が初期化される。すなわち、初期化された調整値を位相調整の初期値にする（ステップＳ１）。具体的には、ＰＬＬ回路１０４から出力されたクロックＣＫの位相を初期値にする。そして、位相調整回路１２８は、設定された初期値に基づいて、上述した方法によってクロックの位相を調整し、その調整後の位相値を設定した補正クロックＲＣＬＫｎを生成する（ステップＳ２）。その後、調整した補正クロックＲＣＬＫｎの位相値をサンプル値として取得し（ステップＳ３）、取得したサンプル値と、前の調整値との移動平均を演算して次の調整値を求める（ステップＳ４）。そして、得られた調整値を位相調整の初期値に設定し（ステップＳ５）、調整動作を終了するか否かが判別される（ステップＳ６）。調整動作を終了しない場合は、ステップＳ２に戻り、ステップＳ２〜Ｓ５を繰返す。ステップＳ６において”Ｙｅｓ”が選択されれば位相調整の動作は終了する。
再び、図３を参照して、光ディスク装置２００における光磁気記録媒体１００へのデータの記録動作について説明する。光磁気記録媒体１００が光ディスク装置２００に装着されると、コントローラ１１４は、スピンドルモータ１０１を所定の回転数で回転させるようにサーボ機構（図示せず）に制御するとともに、所定強度のレーザ光を光ピックアップ１０２から出射させるようにタイミング発生回路１１５を介してレーザ駆動回路１２４を制御する。
そうすると、サーボ機構（図示せず）は、スピンドルモータ１０１を所定の回転数で回転させ、スピンドルモータ１０１は、光磁気記録媒体１００を所定の回転数で回転させる。また、光ピックアップ１０２は、所定強度のレーザ光を対物レンズ（図示せず）によって光磁気記録媒体１００に集光照射し、その反射光を検出する。そして、光ピックアップ１０２は、フォーカスエラー信号、およびトラッキングエラー信号をサーボ機構（図示せず）に出力し、サーボ機構はフォーカスエラー信号およびトラッキングエラー信号に基づいて、光ピックアップ１０２の対物レンズのフォーカスサーボおよびトラッキングサーボをオンさせる。
その後、光ピックアップ１０２は、光磁気記録媒体１００からラジアルプッシュプル法によりファインクロックマーク信号ＦＣＭを検出し、その検出したファインクロックマーク信号ＦＣＭをＦＣＭ検出回路１０３へ出力する。ＦＣＭ検出回路１０３は、上述した方法によって、ファインクロックマーク信号ＦＣＭからファインクロックマーク検出信号ＦＣＭＴを検出し、その検出したファインクロックマーク検出信号ＦＣＭＴをＰＬＬ回路１０４およびタイミング発生回路１１５へ出力する。ＰＬＬ回路１０４は、ファインクロックマーク検出信号ＦＣＭＴに基づいてクロックＣＫを生成し、その生成したクロックＣＫをクロック設定回路１２７へ出力する。そして、クロック設定回路１２７は、入力されたクロックＣＫを、そのまま、アドレス検出回路１０５、コントローラ１１４、タイミング発生回路１１５、データ変調回路１１７、およびフォーマット回路１２６へ出力する。
また、アドレス検出回路１０５は、光ピックアップ１０２が光磁気記録媒体１００のセグメントＳ０からラジアルプッシュプル法により検出したアドレス信号を入力し、クロック設定回路１２７から入力されたクロックＣＫに同期してアドレス情報ＡＤを検出すると共に、アドレス情報ＡＤを検出したことを示すアドレス検出信号ＡＤＦをアドレス情報ＡＤの最終位置で生成する。そして、検出したアドレス情報ＡＤをコントローラ１１４へ出力し、生成したアドレス検出信号ＡＤＦをヘッダ検出回路１１３およびタイミング発生回路１１５へ出力する。
一方、ＢＣＨエンコーダ１１６は、記録データに誤り訂正符号を付加し、データ変調回路１１７は、クロック設定回路１２７のクロックＣＫに同期してＢＣＨエンコーダ１１６からの記録データを所定の方式に変調する。そして、データ変調回路１１７は、変調した記録データをフォーマット回路１２６へ出力する。
タイミング発生回路１１５は、アドレス検出回路１０５から入力されたアドレス情報に基づいて、光磁気記録媒体１００のデータ領域に記録する記録信号を生成するためのタイミング信号を生成する。そして、タイミング発生回路１１５は、生成したタイミング信号をセレクタ回路１２０、磁気ヘッド駆動回路１２３、およびレーザ駆動回路１２４へ出力する。
セレクタ回路１２０は、タイミング信号に基づいて、データ変調回路１１７から入力された記録信号を選択して磁気ヘッド駆動回路１２３へ出力する。そして、磁気ヘッド駆動回路１２３は、記録信号によって変調された磁界をタイミング信号に同期して生成するように磁気ヘッド１２５を駆動する。一方、レーザ駆動回路１２４は、タイミング信号に同期して光ピックアップ１０２中の半導体レーザ（図示せず）を駆動し、光ピックアップ１０２はレーザ光を対物レンズ（図示せず）によって光磁気記録媒体１００に集光照射する。そして、磁気ヘッド１２５は、記録信号によって変調された磁界を光磁気記録媒体１００に印加する。これによって、記録データが光磁気記録媒体１００に記録される。
次に、光ディスク装置２００を用いた光磁気記録媒体１００からの信号の再生動作について説明する。光磁気記録媒体１００が光ディスク装置２００に装着され、対物レンズのフォーカスサーボおよびトラッキングサーボが行なわれ、クロックＣＫが生成され、アドレス情報が検出されるまでの動作は、信号の記録動作と同じである。検出されたアドレス情報は、コントローラ１１４へ入力される。
ヘッダ検出回路１１３は、コントローラ１１４から入力されたアドレス情報ＡＤおよびアドレス検出回路１０５から入力されたアドレス検出信号ＡＤＦに基づいて再生信号に含まれるヘッダの位置を検出し、クロック設定回路１２７からのクロックＣＫに同期して再生信号からプリライトおよびヘッダのタイミング信号を生成する。そして、生成したヘッダのタイミング信号をアンフォーマット回路１１０、データ復調回路１１１および位相調整回路１２８へ出力する。
一方、光ピックアップ１０２は、検出した再生信号をＢＰＦ１０６へ出力し、ＢＰＦ１０６は、再生信号の高域、および低域をカットする。ＡＤ変換器１０７は、クロック設定回路１２７からのクロックＣＫに同期して、ＢＰＦ１０６から出力された再生信号をアナログ信号からディジタル信号に変換する。
そして、波形等化回路１０８は、クロック設定回路１２７からのクロックＣＫに同期してディジタル信号に変換された再生信号にＰＲ（１，１）波形等化を行なう。すなわち、検出信号の前後のデータが１対１に波形干渉を行なうように等化する。
その後、ビタビ復号回路１０９は、クロック設定回路１２７からのクロックＣＫに同期して、波形等化を行なった再生信号を多値から２値に変換し、その変換した再生信号をアンフォーマット回路１１０、およびヘッダ検出回路１１３へ出力する。また、ビタビ復号回路１０９は、再生信号がデータ”１”から”０”に切替わるタイミング信号ＴＮを位相調整回路１２８へ出力する。
そうすると、ヘッダ検出回路１１３は、コントローラ１１４から入力されたアドレス情報ＡＤおよびアドレス検出回路１０５から入力されたアドレス検出信号ＡＤＦに基づいて再生信号に含まれるヘッダの位置を検出し、クロック設定回路１２７からのクロックに同期して再生信号からプリライトおよびヘッダのタイミング信号を生成する。そして、生成したヘッダのタイミング信号をアンフォーマット回路１１０、データ復調回路１１１および位相調整回路１２７へ出力する。
そして、上述したようにヘッダから読出された２Ｔ信号を用いてクロックＣＫの位相調整が行なわれる。
また、アンフォーマット回路１１０は、ヘッダ検出回路１１３から入力されたタイミング信号に基づいて、光磁気記録媒体１００のユーザデータ領域に記録されたプリライト、ポストライト、およびヘッダを除去する。データ復調回路１１１は、クロック設定回路１２７からのクロックＣＫに同期してアンフォーマットされた再生信号を入力して、記録時に施されたディジタル変調を解くための復調を行なう。そして、ＢＣＨデコーダ１１２は、復調された再生信号の誤り訂正を行ない、再生データとして出力する。これにより、光磁気記録媒体１００からの信号の再生動作が終了する。
上記においては、光磁気記録媒体のヘッダに記録された２Ｔ信号の再生信号を用いてクロックの位相調整を行なうとして説明したが、本発明においては、２Ｔ信号以外の信号を用いてクロックの位相調整を行なっても良い。
また、上記においては、光磁気記録媒体を例にして説明したが、本発明は光磁気記録媒体に限らず、相変化ディスク等の照射されるレーザ光のパワーによって記録信号の位置がずれる光ディスクであれば、何でも良い。
本発明の実施の形態によれば、光磁気記録媒体のヘッダ領域に記録された２Ｔ信号を用いて再生信号をサンプリングすべきクロックの位相が自動調整されるので、信号を記録する位置が変動しても再生信号の振幅が大きくなるタイミングでサンプリングできる。
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
産業上の利用可能性
光磁気記録媒体のヘッダ領域に記録された２Ｔ信号を用いて再生信号をサンプリングすべきクロックの位相が自動調整されるので、信号を記録する位置が変動しても再生信号の振幅が大きくなるタイミングでサンプリングできる。したがって、この発明は、再生信号の振幅が大きいタイミングでサンプリング可能なように再生クロックの位相を調整する光ディスク装置および位相調整方法に適用可能である。
【図面の簡単な説明】
図１は、光磁気記録媒体とそのフォーマットを示す平面図である。
図２は、記録データ列のフォーマットを示す概略図である。
図３は、光ディスク装置のブロック図である。
図４は、プリフォーマット領域、ユーザデータ領域からのデータの再生を説明するための図である。
図５は、ＰＬＬ回路のブロック図である。
図６は、ファインクロックマーク検出信号、およびクロックの生成を説明するための図である。
図７は、アドレス情報の検出、およびアドレス検出信号の生成を説明するための図である。
図８は、タイミング信号の生成を説明するための図である。
図９は、光ディスク装置により光磁気記録媒体に記録される記録データ列を説明するための図である。
図１０は、この発明の実施の形態におけるフォーマット回路の概略ブロック図である。
図１１は、図１０に示すタイミング発生回路における５３２計上カウンタ、および３９計上カウンタの動作を説明する信号のタイミングチャート図である。
図１２は、図１０に示すタイミング発生回路が生成するタイミング信号のチャートである。
図１３は、図２に示すヘッダから再生される２Ｔの再生信号の波形図である。
図１４は、位相ずれの検出原理を説明するための波形図で、再生信号の位相とクロックの位相と同期している状態を示す図である。
図１５は、位相ずれの検出原理を説明するための波形図で、再生信号の位相がクロックの位相よりも進んでいる状態を示す図である。
図１６は、位相ずれの検出原理を説明するための波形図で、再生信号の位相がクロックの位相よりも遅れている状態を示す図である。
図１７は、再生クロックを生成する方法を説明するための図である。
図１８は、図３に示す光ディスク装置の位相調整回路のブロック図である。
図１９は、図１８に示す補正量検出回路の回路図である。
図２０は、図１８に示す補正量検出回路における信号のタイミング図である。
図２１は、図１８に示す位相補正回路の回路図である。
図２２は、この発明による位相調整方法のフローチャートである。
図２３Ａおよび２３Ｂは、レーザ光のパワーによって磁区が形成される位置が異なることを説明するための図である。
図２４は、光磁気記録媒体に形成される磁区が小さいときの再生信号の波形図である。
【図１】
2002035528.tif 000003
【図２】
2002035528.tif 000004
【図３】
2002035528.tif 000005
【図４】
2002035528.tif 000006
【図５】
2002035528.tif 000007
【図６】
2002035528.tif 000008
【図７】
2002035528.tif 000009
【図８】
2002035528.tif 000010
【図９】
2002035528.tif 000011
【図１０】
2002035528.tif 000012
【図１１】
2002035528.tif 000013
【図１２】
2002035528.tif 000014
【図１３】
2002035528.tif 000015
【図１４】
2002035528.tif 000016
【図１５】
2002035528.tif 000017
【図１６】
2002035528.tif 000018
【図１７】
2002035528.tif 000019
【図１８】
2002035528.tif 000020
【図１９】
2002035528.tif 000021
【図２０】
2002035528.tif 000022
【図２１】
2002035528.tif 000023
【図２２】
2002035528.tif 000024
【図２３Ａ】
2002035528.tif 000025
【図２３Ｂ】
2002035528.tif 000026
【図２４】
2002035528.tif 000027
【国際調査報告】
2002035528.tif 000028
2002035528.tif 000029
2002035528.tif 000030
2002035528.tif 000031